(57)【特許請求の範囲】
【請求項１】
機種名、電力系統および設置場所のすべての情報を含むタグ情報を保存する設定値情報格納部と、
前記設定値情報格納部から前記タグ情報を取得し名板表示データに変換して出力する名板表示用ディスプレイ表示制御部と、
前記名板表示用ディスプレイ表示制御部から前記名板表示データを取得して前記タグ情報を表示する名板表示用ディスプレイとを備えたことを特徴とする保護継電器。
【請求項２】
前記タグ情報を前記設定値情報格納部に入力し前記名板表示用ディスプレイ表示制御部に前記名板表示用ディスプレイの表示内容の切り替えを指示する情報を入力するヒューマンマシンインターフェースを備えたことを特徴とする請求項１に記載の保護継電器。
【請求項３】
前記名板表示用ディスプレイは液晶ディスプレイであることを特徴とする請求項１または２に記載の保護継電器。
【請求項４】
前記名板表示用ディスプレイは電子ペーパーディスプレイであることを特徴とする請求項１または２に記載の保護継電器。
【請求項５】
前記名板表示用ディスプレイは有機ＥＬディスプレイであることを特徴とする請求項１または２に記載の保護継電器。
【請求項６】
前記名板表示用ディスプレイは筐体の前面上部に配置されていることを特徴とする請求項１から５のいずれか１項に記載の保護継電器。
【請求項７】
タグ情報およびメインディスプレイ情報を保存する設定値情報格納部と、
前記設定値情報格納部から前記メインディスプレイ情報を取得しメイン表示データに変換して出力するメインディスプレイ表示制御部と、
前記設定値情報格納部から前記タグ情報を取得し名板表示データに変換して出力する名板表示用ディスプレイ表示制御部と、
前記メインディスプレイ表示制御部から前記メイン表示データを取得し前記名板表示用ディスプレイ表示制御部から前記名板表示データを取得して前記メインディスプレイ情報および前記タグ情報を表示するメインディスプレイとを備えた保護継電器であって、
前記タグ情報は機種名、電力系統および設置場所のすべての情報を含み、
前記メインディスプレイ情報は計測値、設定値および保護情報の少なくともいずれか一つの情報を含むことを特徴とする保護継電器。
【発明の詳細な説明】
【技術分野】
【０００１】
本願は、保護継電器に関するものである。
【背景技術】
【０００２】
保護継電器は、配電盤などの受配電設備に搭載されており、電力系統に発生する異常状態を電流、電圧などの計測により検出し、正常な電力系統に影響が及ばないように異常状態の電力系統を切り離すものである。保護継電器には、機種名、電力系統、保護継電器が設置される場所などのタグ情報が表記されている。例えば、機種名には保護継電器が有している保護機能の情報が記してあり、電力系統には受配電システム内で当該の保護継電器が保護している電力系統の情報が記してあり、それに付随して保護継電器が設置される場所の情報が記してある（例えば、特許文献１参照）。
【先行技術文献】
【特許文献】
【０００３】
【特許文献１】特開平１０−２８５７１６号公報
【発明の概要】
【発明が解決しようとする課題】
【０００４】
従来の保護継電器を製造するときには、これらのタグ情報が記された名板を粘着式のシールで作成し、これを保護継電器の前面に貼り付ける作業を実施している。この作業は、作業者が手作業で実施しており、例えば、図面情報から名板を作成する際に生じる誤字、あるいは、複数の保護継電器を製造する場合に生じる名板の貼り付け間違いといった人的ミスが発生するという課題があった。【０００５】
本願は、上述の課題を解決するためになされたものであり、名板の作成および保護継電器への貼り付けの作業をなくし、製造時の人的ミスの発生を抑制する保護継電器を提供することを目的とする。
【課題を解決するための手段】
【０００６】
本願に開示される保護継電器は、機種名、電力系統および設置場所のすべての情報を含むタグ情報を保存する設定値情報格納部と、設定値情報格納部からタグ情報を取得し名板表示データに変換して出力する名板表示用ディスプレイ表示制御部と、名板表示用ディスプレイ表示制御部から名板表示データを取得してタグ情報を表示する名板表示用ディスプレイとを備える。
【発明の効果】
【０００７】
本願に開示される保護継電器は、機種名、電力系統および設置場所のすべての情報を含むタグ情報を保存する設定値情報格納部と、設定値情報格納部からタグ情報を取得し名板表示データに変換して出力する名板表示用ディスプレイ表示制御部と、名板表示用ディスプレイ表示制御部から名板表示データを取得してタグ情報を表示する名板表示用ディスプレイとを備えたので、名板の作成および保護継電器への貼り付けの作業が不要となり、製造時の人的ミスの発生が抑制される。
【図面の簡単な説明】
【０００８】
【図１】実施の形態１による保護継電器の構成を示す模式図である。
【図２】実施の形態１による保護継電器におけるディスプレイ表示処理部の構成を示すブロック図である。
【図３】比較例による保護継電器の構成を示す模式図である。
【図４】比較例による保護継電器におけるディスプレイ表示処理部の構成を示すブロック図である。
【図５】実施の形態２による保護継電器の構成を示す模式図である。
【図６】実施の形態２による保護継電器におけるディスプレイ表示処理部の構成を示すブロック図である。
【図７】実施の形態１および２の保護継電器におけるディスプレイ表示処理部のハードウェア構成の一例を示す模式図である。
【発明を実施するための形態】
【０００９】
以下、本願を実施するための実施の形態に係る保護継電器について、図面を参照して詳細に説明する。なお、各図において同一符号は同一もしくは相当部分を示している。
【００１０】
実施の形態１．
図１は、実施の形態１による保護継電器１００の構成を示す図である。実施の形態１による保護継電器１００は、名板表示用ディスプレイ１と、メインディスプレイ２と、ヒューマンマシンインターフェース３とを備えている。図１においては、保護継電器１００のディスプレイ表示に関連する構成を示しており、その他の機能に関する構成は省略している。名板表示用ディスプレイ１は、保護継電器１００の内部に設定されたタグ情報を表示する液晶ディスプレイである。タグ情報は、機種名、電力系統および設置場所の少なくともいずれか一つの情報を含むものであり、機種名、電力系統および設置場所のすべての情報を含んでいても良い。メインディスプレイ２は、保護継電器１００の計測値、設定値、保護情報などのメインディスプレイ情報を表示する液晶ディスプレイである。メインディスプレイ情報は、計測値、設定値および保護情報の少なくともいずれか一つの情報を含むものであり、計測値、設定値および保護情報のすべての情報を含んでいてもよい。ヒューマンマシンインターフェース３は、スイッチあるいはパソコンなどの外部機器を接続するためのインターフェースであり、計測値および設定値などの表示の切り替え、あるいは、設定値の入力を行うものである。
【００１１】
名板表示用ディスプレイ１は、保護継電器１００の筐体の前面上部に配置されている。これによって、保護継電器１００の機種名、電力系統、設置場所などのタグ情報が保護継電器１００の筐体の前面上部に表示されることになり、タグ情報の視認性が良くなる。
【００１２】
図２は、実施の形態１による保護継電器１００においてディスプレイの表示に関連する処理を行うディスプレイ表示処理部１０の構成を示すブロック図である。ディスプレイ表示処理部１０は、ヒューマンマシンインターフェース３と、設定値情報格納部４と、ディスプレイ表示制御部５と、メインディスプレイ２と、名板表示用ディスプレイ１とを備えている。設定値情報格納部４は、メインディスプレイ２に表示する保護継電器１００の計測値、設定値、保護情報などのメインディスプレイ情報と、名板表示用ディスプレイ１に表示する保護継電器１００の機種名、電力系統、設置場所などのタグ情報とが保存されている。ディスプレイ表示制御部５は、メインディスプレイ２の表示を制御するメインディスプレイ表示制御部５１と、名板表示用ディスプレイ１の表示を制御する名板表示用ディスプレイ表示制御部５２とを備えている。
【００１３】
メインディスプレイ表示制御部５１は、保護継電器１００の計測値、設定値、保護情報などのメインディスプレイ情報を設定値情報格納部４から取得し、メインディスプレイ２の表示のためのデータであるメイン表示データに変換してメインディスプレイ２に出力する。メインディスプレイ２は、メインディスプレイ表示制御部５１からメイン表示データを取得してメインディスプレイ情報を表示する。
【００１４】
設定値情報格納部４は、メインディスプレイ２に表示する保護継電器１００の計測値、設定値、保護情報などのメインディスプレイ情報と、名板表示用ディスプレイ１に表示する保護継電器１００の機種名、電力系統、設置場所などのタグ情報とが保存されているとしたが、保護継電器１００の設定値と名板表示用ディスプレイ１に表示する保護継電器１００の機種名、電力系統、設置場所などのタグ情報とを保存するものとしてもよい。この場合は、メインディスプレイ表示制御部５１は、保護継電器１００の設定値を設定値情報格納部４から取得し、保護継電器１００の計測値および保護情報をそれぞれの値を出力する保護継電器１００の計測部あるいは保護処理部から取得すればよい。
【００１５】
名板表示用ディスプレイ表示制御部５２は、保護継電器１００の機種名、電力系統、設置場所などのタグ情報を設定値情報格納部４から取得し、名板表示用ディスプレイ１の表示のためのデータである名板表示データに変換し名板表示用ディスプレイ１に出力する。名板表示用ディスプレイ１は、名板表示用ディスプレイ表示制御部５２から名板表示データを取得して保護継電器１００の機種名、電力系統、設置場所などのタグ情報を表示する。
【００１６】
名板表示用ディスプレイ表示制御部５２は、名板表示設定値取得部５３と、表示データ変換部５４と、名板表示出力部５５とを備えている。名板表示設定値取得部５３は、保護継電器１００の機種名、電力系統、設置場所などのタグ情報を設定値情報格納部４から取得し、表示データ変換部５４に出力する。表示データ変換部５４は、名板表示設定値取得部５３から取得した情報を名板表示用ディスプレイ１に出力するための名板表示データに変換し、名板表示出力部５５に出力する。名板表示出力部５５は表示データ変換部５４から取得した名板表示データを名板表示用ディスプレイ１に出力する。
【００１７】
ヒューマンマシンインターフェース３は、スイッチあるいはパソコンなどの外部機器を接続するためのインターフェースであり、保護継電器１００の設定値と保護継電器１００の機種名、電力系統、設置場所などのタグ情報とを設定値情報格納部４に入力するものである。また、ヒューマンマシンインターフェース３は、メインディスプレイ表示制御部５１にメインディスプレイ２の表示内容の切り替えを指示する情報を入力するものであり、名板表示用ディスプレイ表示制御部５２に名板表示用ディスプレイ１の表示内容の切り替えを指示する情報を送信するものである。ヒューマンマシンインターフェース３を備えることにより、保護継電器１００の設定値と保護継電器１００の機種名、電力系統、設置場所などのタグ情報との入力および変更ができる。また、メインディスプレイ２と名板表示用ディスプレイ１との表示内容を切り替えることにより、入力および変更を行った値の確認を行うこともできる。
【００１８】
図３は、比較例の保護継電器１１０の構成を示す図である。図３に示す比較例の保護継電器１１０を図１に示す保護継電器１００と比較すると、名板表示用ディスプレイ１が名板シール６となっており、ヒューマンマシンインターフェース３がヒューマンマシンインターフェース３ａとなっている。
【００１９】
図４は、比較例の保護継電器１１０においてディスプレイの表示に関連する処理を行うディスプレイ表示処理部１０ａの構成を示すブロック図である。図４に示す比較例のディスプレイ表示処理部１０ａを図２に示す実施の形態１のディスプレイ表示処理部１０と比較すると、設定値情報格納部４が設定値情報格納部４ａとなっており、ディスプレイ表示制御部５がディスプレイ表示制御部５ａとなっており、ヒューマンマシンインターフェース３がヒューマンマシンインターフェース３ａとなっている。また、名板表示用ディスプレイ１と名板表示用ディスプレイ表示制御部５２とは、備えていない。設定値情報格納部４ａは、メインディスプレイ２に表示する保護継電器１１０の計測値、設定値、保護情報などのメインディスプレイ情報のみが保存されている。ディスプレイ表示制御部５ａはメインディスプレイ表示制御部５１のみを備えており、メインディスプレイ表示制御部５１およびメインディスプレイ２の動作は、実施の形態１による保護継電器１００におけるメインディスプレイ表示制御部５１およびメインディスプレイ２と同じである。
【００２０】
ヒューマンマシンインターフェース３ａは、スイッチあるいはパソコンなどの外部機器を接続するためのインターフェースであり、保護継電器１１０の設定値を設定値情報格納部４ａに入力するものである。また、ヒューマンマシンインターフェース３ａは、メインディスプレイ表示制御部５１にメインディスプレイ２の表示内容の切り替えを指示する情報を入力するものである。
【００２１】
比較例の保護継電器１１０においては、保護継電器１１０の機種名、電力系統、設置場所などのタグ情報を名板シール６によって表示しているため、名板シール６の作成作業および名板シール６の貼り付け作業が発生する。実施の形態１による保護継電器１００においては、保護継電器１００の機種名、電力系統、設置場所などのタグ情報を名板表示用ディスプレイ１に電子的に表示する。これにより、比較例の保護継電器１１０においては必要であった名板シール６の作成および保護継電器１１０への貼り付けの作業が無いため、製造時の人的ミスの発生を抑制することができる。
【００２２】
なお、実施の形態１による保護継電器１００において、名板表示用ディスプレイ１およびメインディスプレイ２は液晶ディスプレイであるとしたが、名板表示用ディスプレイ１およびメインディスプレイ２を電子ペーパーディスプレイとしてもよい。名板表示用ディスプレイ１およびメインディスプレイ２を電子ペーパーディスプレイとした場合、電子ペーパーディスプレイは液晶ディスプレイに比べて消費電力が小さいため、ランニングコストを抑えることができる。
【００２３】
名板表示用ディスプレイ１およびメインディスプレイ２は液晶ディスプレイであるとしたが、名板表示用ディスプレイ１およびメインディスプレイ２を有機ＥＬディスプレイとしてもよい。名板表示用ディスプレイ１およびメインディスプレイ２を有機ＥＬディスプレイとした場合、有機ＥＬディスプレイは液晶ディスプレイに比べて消費電力が小さいため、ランニングコストを抑えることができる。また、名板表示用ディスプレイ１およびメインディスプレイ２を有機ＥＬディスプレイとした場合、カラー表示させることもできる。
【００２４】
名板表示用ディスプレイ１は保護継電器１００の筐体の前面上部に配置されるとしたが、これに限るものではなく、名板表示用ディスプレイ１に表示される内容が確認できる位置であればどのような位置に配置されていてもかまわない。
【００２５】
以上のように、実施の形態１による保護継電器１００は、機種名、電力系統および設置場所の少なくともいずれか一つの情報を含むタグ情報を保存する設定値情報格納部４と、設定値情報格納部４からタグ情報を取得し名板表示データに変換して出力する名板表示用ディスプレイ表示制御部５２と、名板表示用ディスプレイ表示制御部５２から名板表示データを取得してタグ情報を表示する名板表示用ディスプレイ１とを備えたので、名板の作成および保護継電器への貼り付けの作業が不要となる。これにより図面情報から名板を作成する際に名板の誤字あるいは保護継電器１００に付ける名板の貼り間違いといった作業ミスを防止することができる。
【００２６】
また、実施の形態１による保護継電器１００は、機種名、電力系統および設置場所の少なくともいずれか一つの情報を含むタグ情報を保存する設定値情報格納部４と、設定値情報格納部４からタグ情報を取得し名板表示データに変換して出力する名板表示用ディスプレイ表示制御部５２と、名板表示用ディスプレイ表示制御部５２から名板表示データを取得してタグ情報を表示する名板表示用ディスプレイ１とを備え、さらに、タグ情報を設定値情報格納部４に入力し名板表示用ディスプレイ表示制御部５２に名板表示用ディスプレイ１の表示内容の切り替えを指示する情報を送信するヒューマンマシンインターフェース３を備えたので、設定値情報格納部４にタグ情報を入力して名板表示用ディスプレイ１に表示する内容を設定することができるとともに、設定値情報格納部４に保存されたタグ情報を変更することにより名板表示用ディスプレイ１の表示内容を変更することができる。
【００２７】
実施の形態２．
図５は、実施の形態２による保護継電器１２０の構成を示す図である。図５に示す実施の形態２による保護継電器１２０を図１に示す保護継電器１００と比較すると、メインディスプレイ２がメインディスプレイ２ａとなっており、名板表示用ディスプレイ１を備えていない。
【００２８】
図６は、実施の形態２による保護継電器１２０においてディスプレイの表示に関連する処理を行うディスプレイ表示処理部１０ｂの構成を示すブロック図である。図６に示す実施の形態２のディスプレイ表示処理部１０ｂを図２に示すディスプレイ表示処理部１０と比較すると、メインディスプレイ２がメインディスプレイ２ａとなっており、メインディスプレイ表示制御部５１の出力および名板表示用ディスプレイ表示制御部５２の出力の両方がメインディスプレイ２ａに入力されている。メインディスプレイ２ａは、メインディスプレイ表示制御部５１の出力および名板表示用ディスプレイ表示制御部５２の出力の両方を取得し、保護継電器１２０の計測値、設定値、保護情報などのメインディスプレイ情報および保護継電器１２０の機種名、電力系統、設置場所などのタグ情報の両方を表示する。
【００２９】
以上のように、実施の形態２による保護継電器１２０は、タグ情報およびメインディスプレイ情報を保存する設定値情報格納部４と、設定値情報格納部４からメインディスプレイ情報を取得しメイン表示データに変換して出力するメインディスプレイ表示制御部５１と、設定値情報格納部４からタグ情報を取得し名板表示データに変換して出力する名板表示用ディスプレイ表示制御部５２と、メインディスプレイ表示制御部５１からメイン表示データを取得し名板表示用ディスプレイ表示制御部５２から名板表示データを取得してメインディスプレイ情報およびタグ情報を表示するメインディスプレイ２ａとを備えた保護継電器であって、タグ情報は機種名、電力系統および設置場所の少なくともいずれか一つの情報を含み、メインディスプレイ情報は計測値、設定値および保護情報の少なくともいずれか一つの情報を含んでいるので、ディスプレイの数を１つにすることにより製造コストを抑えつつタグ情報を表示することができ、メインディスプレイ情報とタグ情報を１つのディスプレイに表示することにより一つの画面からすべての情報を確認することができる。
【００３０】
図７は、実施の形態１および２の保護継電器１００、１２０におけるディスプレイ表示処理部１０、１０ｂのハードウェア構成の一例を示す模式図である。名板表示用ディスプレイ１およびメインディスプレイ２、２ａはディスプレイ２０４であり、ヒューマンマシンインターフェース３はインターフェース２０１であり、設定値情報格納部４、４ａはメモリ２０３であり、ディスプレイ表示制御部５、５ａはメモリ２０３に記憶されたプログラムを実行するＣＰＵ、システムＬＳＩ等のプロセッサ２０２により実現される。また、複数の処理回路が連携して上記機能を実行してもよい。
【００３１】
本願は、様々な例示的な実施の形態が記載されているが、１つまたは複数の実施の形態に記載された様々な特徴、態様、および機能は特定の実施の形態の適用に限られるのではなく、単独で、または様々な組み合わせで実施の形態に適用可能である。
したがって、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３２】
１  名板表示用ディスプレイ、２、２ａ  メインディスプレイ、３、３ａ  ヒューマンマシンインターフェース、４、４ａ  設定値情報格納部、５、５ａ  ディスプレイ表示制御部、６  名板シール、１０、１０ａ、１０ｂ  ディスプレイ表示処理部、５１  メインディスプレイ表示制御部、５２  名板表示用ディスプレイ表示制御部、５３  名板表示設定値取得部、５４  表示データ変換部、５５  名板表示出力部、１００、１１０、１２０  保護継電器、２０１  インターフェース、２０２  プロセッサ、２０３  メモリ、２０４  ディスプレイ。
【要約】
名板の作成および保護継電器への貼り付けの作業が不要な保護継電器である。
機種名、電力系統および設置場所の少なくともいずれか一つの情報を含むタグ情報を保存する設定値情報格納部（４）と、設定値情報格納部（４）からタグ情報を取得し名板表示データに変換して出力する名板表示用ディスプレイ表示制御部（５２）と、名板表示用ディスプレイ表示制御部（５２）から名板表示データを取得してタグ情報を表示する名板表示用ディスプレイ（１）とを備える。【図１】
0006837620.tif 000002
【図２】
0006837620.tif 000003
【図３】
0006837620.tif 000004
【図４】
0006837620.tif 000005
【図５】
0006837620.tif 000006
【図６】
0006837620.tif 000007
【図７】
0006837620.tif 000008